(57)【特許請求の範囲】
【請求項１】
正２０面体の１つの正３角形の面を底面とし該正２０面体の中心を頂点とする３角錐の全部又は前記底面に属する３つの辺を少なくとも含むような一部の形状を持つ単位体を２０個結合して一体とした装身具であり、
２個の前記単位体の各々の前記底面に属する底辺のうちの１つを接合底辺とし、該接合底辺同士を２つの底面が同方向となるように角度可変に接合した２単位結合体を７個用い、前記７個の２単位結合体の１つに含まれる１つの単位体の前記接合底辺と端点を共有しない辺を接合斜辺とし、該接合斜辺と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え、
前記１４単位結合体の一方の末端の単位体の接合斜辺に、１つの単位体を第一の末端単位体として、該第一の末端単位体の斜辺を該２つの単位体の底面が同じ方向となるように角度可変に接合し、
前記１４単位結合体の他方の末端の単位体の接合斜辺に、１つの単位体を第二の末端単位体として、該第二の末端単位体の斜辺を該２つの単位体の底面が同じ方向となるように角度可変に接合し、
Ｘ字にその下端の２点を結ぶ直線を加えた形状の棒状体を備え、
前記第二の末端単位体の前記接合された斜辺と端点を共有しない底辺を前記棒状体の下端の２点を結ぶ直線に角度可変に接合し、該棒状体のＸ字状の４辺にそれぞれ１個の単位体の斜辺を接合し、
可変な角度を変動させた前記２０個の単位体の配置として前記２０個の単位体全体が正２０面体の形状となるものを含むことを特徴とする、装身具。
【請求項２】
前記単位体の前記底面に装飾を施したことを特徴とする、請求項１に記載の装身具。
【請求項３】
前記第一の末端単位体と前記第二の末端単位体又は棒状体とを互いに係合する止め具を備えた環状の装身具であることを特徴とする、請求項１又は２に記載の装身具。
【請求項４】
前記単位体の面の全て又は一部の表面又は内部に磁石を備え、
前記２０個の単位体が正２０面体の形状となる配置において互いに接する２つの面に備えられた前記磁石の面側の極性が異なるものであることを特徴とする請求項１〜３のいずれか１項に記載の装身具。
【請求項５】
正２０面体の１つの正３角形の面を底面とし該正２０面体の中心を頂点とする３角錐の全部又は前記底面に属する３つの辺を少なくとも含むような一部の形状を持つ単位体を２０個含む装身具であり、
２個の前記単位体の各々の前記底面に属する底辺のうちの１つを接合底辺とし、該接合底辺同士を２つの底面が同方向となるように角度可変に接合した２単位結合体を７個用い、前記７個の２単位結合体の１つに含まれる１つの単位体の前記接合底辺と端点を共有しない辺を接合斜辺とし、該接合斜辺と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え、
前記１４単位結合体の一方の末端の単位体の接合斜辺に、１つの単位体を第一の末端単位体として、該第一の末端単位体の斜辺を該２つの単位体の底面が同じ方向となるように角度可変に接合し、
前記１４単位結合体の他方の末端の単位体の接合斜辺に、１つの単位体を第二の末端単位体として、該第二の末端単位体の斜辺を該２つの単位体の底面が同じ方向となるように角度可変に接合し、
４個の他の単位体と接合していない単位体を備え、
可変な角度を変動させた前記１６個の結合された単位体及び前記の４個の他の単位体と接合していない単位体の配置として、２０個の単位体全体が正２０面体の形状となるものを含むことを特徴とする、装身具。
【請求項６】
正２０面体の１つの正３角形の面を底面とし該正２０面体の中心を頂点とする３角錐の全部又は前記底面に属する３つの辺を少なくとも含むような一部の形状を持つ単位体を２０個結合して一体としたパズルであり、
２個の前記単位体の各々の前記底面に属する底辺のうちの１つを接合底辺とし、該接合底辺同士を２つの底面が同方向となるように角度可変に接合した２単位結合体を７個用い、前記７個の２単位結合体の１つに含まれる１つの単位体の前記接合底辺と端点を共有しない辺を接合斜辺とし、該接合斜辺と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え、
前記１４単位結合体の一方の末端の単位体の接合斜辺に、１つの単位体を第一の末端単位体として、該第一の末端単位体の斜辺を該２つの単位体の底面が同じ方向となるように角度可変に接合し、
前記１４単位結合体の他方の末端の単位体の接合斜辺に、１つの単位体を第二の末端単位体として、該第二の末端単位体の斜辺を該２つの単位体の底面が同じ方向となるように角度可変に接合し、
Ｘ字にその下端の２点を結ぶ直線を加えた形状の棒状体を備え、
前記第二の末端単位体の前記接合された斜辺と端点を共有しない底辺を前記棒状体の下端の２点を結ぶ直線に角度可変に接合し、該棒状体のＸ字状の４辺にそれぞれ１個の単位体の斜辺を接合し、
可変な角度を変動させた前記２０個の単位体の配置として前記２０個の単位体全体が正２０面体の形状とすることが遊戯目的であることを特徴とする、パズル。
【請求項７】
前記単位体の前記底面に装飾を施したことを特徴とする、請求項６に記載のパズル。
【請求項８】
正２０面体の１つの正３角形の面を底面とし該正２０面体の中心を頂点とする３角錐の全部又は前記底面に属する３つの辺を少なくとも含むような一部の形状を持つ単位体を２０個含むパズルであり、
２個の前記単位体の各々の前記底面に属する底辺のうちの１つを接合底辺とし、該接合底辺同士を２つの底面が同方向となるように角度可変に接合した２単位結合体を７個用い、前記７個の２単位結合体の１つに含まれる１つの単位体の前記接合底辺と端点を共有しない辺を接合斜辺とし、該接合斜辺と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え、
前記１４単位結合体の一方の末端の単位体の接合斜辺に、１つの単位体を第一の末端単位体として、該第一の末端単位体の斜辺を該２つの単位体の底面が同じ方向となるように角度可変に接合し、
前記１４単位結合体の他方の末端の単位体の接合斜辺に、１つの単位体を第二の末端単位体として、該第二の末端単位体の斜辺を該２つの単位体の底面が同じ方向となるように角度可変に接合し、
４個の他の単位体と接合していない単位体を備え、
可変な角度を変動させた前記１６個の結合された単位体及び前記の４個の他の単位体と接合していない単位体の配置として、２０個の単位体全体が正２０面体の形状となるものを含むことを特徴とする、パズル。
【発明の詳細な説明】
【技術分野】
【０００１】
本発明は、パズル及びパズルの楽しみを兼ね備えた装身具に関するものである。
【背景技術】
【０００２】
ブレスレット、ネックレス、ペンダント等の装身具には、各種の形状のものが存在する。そして、装身具を変形して装いに変化を与えることも知られている。例えば、特許文献１には、宝石等が付された装飾用単位体をいろいろな相対位置に結合することができ、その結果としていろいろな位置に配することができ、装いに変化を与える装身具が開示されている。
しかし、特許文献１に記載の装身具は、ユーザが自ら考えた位置に単位体を配することが容易にできるものであり、所定の配置を実現するために知恵を絞るというパズルの楽しみを目的としたものではない。
【０００３】
パズルとしては、正多面体を作成することを目的として知恵を絞るものが知られている。例えば、特許文献２には、４個又は５個の形状の異なる凸多面体を組み合わせて正多面体を作成するパズルが開示されている。しかし、同一形状の多面体のみを組み合わせて正多面体を作成するパズルは知られていない。むろん、同一形状の要素多面体のみを自由に配置して正多面体を作成すること（正多面体を２以上の同一形状の要素多面体に分割すること）は可能であるが、このような要素多面体を自由に配置して正多面体を作成することは容易であり、パズルとして楽しめるまでの難度とならない。
パズルとして楽しめる難度を実現したものとして、要素多面体を自由に配置させず、その組み合わせ方に何らかの制約を設け、その制約を満たす条件下で正多面体を作成することとしたものがある。例えば、特許文献３には、正２０面体の各面である正３角形の各辺に正負の極性を持たせ、極性の異なる辺が接するように正２０面体を作成することを目的とするパズルが開示されている。なお、特許文献３は、正２０面体の面を組み合わせるものとしているが、各面を底面とし正２０面体の中心を頂点とする３角錐を組み合わせることと等価であるので、２０個の要素多面体を組み合わせて正２０面体を作成するパズルに相当する。
しかし、同一形状の要素多面体のみを組み合わせて正２０面体を作成するパズルとしては、特許文献３に記載のパズル以外のものは知られていなかった。
【０００４】
装身具にパズルとしての楽しみを与えることを考えると、同一形状の要素多面体のみを組み合わせて正多面体を作成するパズルには、他のパズルにはない利点が存在する。正多面体が構成されていない時に要素多面体が同一形状なので、装身具としては同一形状の単位体のみからなる整然とした印象とすることができることである。
装身具として用いるためには、装着した時にばらばらにならないよう、要素多面体が連結されて一体化されていることが好ましい。しかし、連結された同一形状の要素多面体のみで正２０面体を作成するようなパズルは知られていなかった。
【先行技術文献】
【特許文献】
【０００５】
【特許文献１】特開２００５−２２２４４９３号公報
【特許文献２】特開２０１０−０１７５１８号公報
【特許文献３】特開平０７−２２７４７７号公報
【発明の概要】
【発明が解決しようとする課題】
【０００６】
解決しようとする問題点は、連結された同一形状の要素多面体のみで正２０面体を作成するようなパズルであって十分に楽しめる難度を持つものを実現すること、パズルの楽しみを兼ね備えた装身具を提供することである。
【課題を解決するための手段】
【０００７】
本発明は、装身具及びパズルに関するものである。以下、装身具について、課題を解決するための手段を説明する。装身具であってもパズルの楽しみを兼ね備えているので、パズルとしての課題解決についても合わせて説明する。
【０００８】
本発明の装身具は、
正２０面体の１つの正３角形の面を底面とし該正２０面体の中心を頂点とする３角錐（単位３角錐）の全部又は前記底面に属する３つの辺を少なくとも含むような一部の形状を持つ単位体を２０個結合して一体とした装身具であり、
前記結合は前記単位３角錐の辺同士を角度可変に接合したもの又は２以上の前記単位体の辺を１つの棒状体に角度可変に接合したものであり、
前記結合の可変な角度を変動させた前記２０個の単位体の配置として前記２０個の単位体全体が正２０面体の形状となるものを含むことを特徴とする。
【０００９】
同一形状の単位３角錐を２０個組み合わせて正２０面体を作成するパズルである。図１は、単位３角錐を表す図である。単位３角錐１において、図で点模様を付した面が底面２である。底面の辺が底辺３である。他の３つの辺が斜辺４である。底辺の辺の長さをｘとしたとき、底辺から頂点へ向かう斜辺の長さｙは、ｘのおよそ０．９５１倍である。ｙは、正２０面体の外接円の半径であり、以下の式で表される。
【数１】
0005688795.tif 000002
ｙがｘにほぼ等しく、単位３角錐がほぼ正４面体に見える形状なので、ユーザには単位３角錐のどの面が底面（正２０面体の外部に表れる面）であるかを判断することが容易ではない。このことがパズルとしての難度を高めている。
図２は、単位体の例を表す図である。パズルは、正２０面体を作成するものである。その際、正２０面体の表面（単位３角錐の底面）が重要であり、表面以外の部分は、それがなくともパズルを構成することができる。したがって、パズルの部品である単位体は、図１に示した単位３角錐のほか、図２（ａ）のように正２０面体の内部を切り取った三角錐台の形状であってもよい。また、表面についても、３つの底辺があれば面が特定されるので、底辺以外の部分はなくてもよい。図２（ｂ）のように底辺部分だけの単位体とすることも可能である。装身具としては、単位体の形状に依存して外観が変化するので、ファッション性などを考慮して各種の単位体の形状を用いることができる。
単位体を自由に配置してよいのであれば、単位３角錐の頂点を中心に集めるように２０個の単位体を配置すればよいこととなり、パズルとしての難度が不十分である。そこで、難度を高めるために、単位３角錐の辺同士を接合して接合された２辺が同一箇所に配置されることによって単位体の配置を制約する。もしくは、棒状体を用いて単位体を結合し単位体相互の一関係を制約する。
こうして単位体が結合されることにより、パズルに用いられる２０個の単位体が全体として１つの物体となり、身に付けて用いる装身具となる。２０個の単位体をどのように結合するかについては、さまざまなものがあり、装身具として適したものを用いることができる。なお、装身具として用いる方法としては、（１）ブローチ、ペンダント等として正２０面体として組み上げた形状を用いる（この場合には単位体の結合はいかなるものでもよい。）、（２）ネックレス、ブレスレット等として正２０面体を組み上げる前の形状を用いる（この場合には単位体が図６のように直線状に結合されていることが好ましい。）、（３）その他の方法が考えられる。
単位体の結合の一例としては、正２０面体の展開図において互いに接する辺を接合すればよい。図３は、正２０面体の展開図に基づくパズルの例を表す図である。底面が図の上側に正２０面体の展開図となるように並んでおり、各底面から図の下側に単位体がある。このパズルは、互いに接合された２つの底面を正２０面体の隣接する面とすること以外の考慮が不要であり、容易に解くことができる。また、単位３角錐の接合される辺は、底辺のみである。図４は、底辺を接合した２つの単位体を表す図である。
単位体を接合させる辺として、斜辺を用いることもできる。図５は、斜辺を接合した２つの単位体を表す図である。正２０面体の１つの単位３角錐を考えると、底辺は１つの他の単位３角錐のみに接するが、斜辺は４つの他の単位３角錐に接する。したがって、斜辺が接合された場合には接する２つの単位３角錐の相対的な位置関係として４つの可能性があることになる。この中で正２０面体を作成できるものを選択する必要があり、パズルの難度が高くなる。パズルの製作者は、底辺を接合するか斜辺を接合するかを設計することができ、斜辺を接合する数の多寡によってパズルの難易度を調整してユーザが楽しめる難易度にできる。
【００１０】
本発明の装身具は、
前記単位体の前記底面に装飾を施したことを特徴とする。
【００１１】
底面は、正２０面体を作成した時に見られる面である。底面に装飾を施すことによって、装身具としての美観を高めることができる。
また、装飾によってどの面が底面であるかを示すことができ、パズルとしては易しいものとすることができる。更に、装飾として人の顔等の絵柄を用いることでどの底面同士が互いに接するかを示すことができ、より易しいものとすることもできる。
パズルとしての難易度と装身具としてのファッション性とを総合的に考慮して、装飾を決めることができる。むろん、パズルの難易度やファッション性の観点から、底面以外の面に装飾を施してもよい。
【００１２】
本発明の装身具は、
２個の前記単位体の各々の前記底面に属する辺（底辺）のうちの１つ（接合底辺）同士を２つの底面が同方向となるように角度可変に接合した２単位結合体を７個用い、前記７個の２単位結合体の１つに含まれる１つの単位体の前記接合底辺と端点を共有しない辺（接合斜辺）と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え、
前記１４単位結合体の一方の末端の単位体の接合斜辺に１つの単位体（第一の末端単位体）の斜辺を該２つの単位体の底面が同じ方向となるように角度可変に接合し、
前記１４単位結合体の他方の末端の単位体の接合斜辺に１つの単位体（第二の末端単位体）の斜辺を該２つの単位体の底面が同じ方向となるように角度可変に接合し、
Ｘ字にその下端の２点を結ぶ直線を加えた形状の棒状体を備え、
前記第二の末端単位体の前記接合された斜辺と端点を共有しない底辺を前記棒状体の下端の２点を結ぶ直線に角度可変に接合し、該棒状体のＸ字状の４辺にそれぞれ１個の単位体の斜辺を接合したことを特徴とする。
【００１３】
図６は、直線状に結合された単位体を含むパズル及び装身具の例を示す図である。単位３角錐である２個の単位体１が接合底辺３で接合され、２単位結合体５を形成している。単位体１の底面２は図の表面側である。図における左から１６個の単位体全てについて、図の手前側が底面である。２単位結合体５は、隣の２単位結合体と接合斜辺４で接合されている。７つの２単位結合体をこれらに含まれる１４個の単位体全ての底面が図の表面側になるように接合したものが１４単位結合体６である。１４単位結合体６の一方の末端には第一の末端単位体７が、他方の末端には第二の末端単位体８が、それぞれ斜辺で接合されている。第二の末端単位体８の底辺は棒状体９と接合されている。棒状体９は、図においてＸ字を右に９０度回転した形に下端の２点を結ぶ直線（図においては第二の末端単位体８と接合する位置の垂直線）を加えた形状である。棒状体９のＸ字状の４辺にはそれぞれ単位体が接合されているが、単位体１０のみが底辺で接合され、他の単位体は斜辺で接合されている。
１６個の単位体が直線状に規則正しく配置されている。これら１６個の単位体が角度可変に接合されているので、ネックレス、ブレスレット等のチェーンを用いることが多い装身具のチェーンに代えてこれら１６個の単位体を用いることができる。
図７は、直線状に結合された単位体を含むパズルの解を表す図である。図の（ａ）において、底面をａ〜ｔの符号で示す。図の（ｂ）は作成した正２０面体を一方から見た図であり、（ｃ）は（ｂ）の背面から見た図である。ａ〜ｔの符号が（ａ）に対応している。
【００１４】
本発明の装身具は、
前記第一の末端単位体と前記第二の末端単位体又は棒状体とを互いに係合する止め具を備えた環状の装身具であることを特徴とする。
【００１５】
ネックレス、ブレスレット等の環状の装身具は、１本のチェーンを環状にするために、止め具によってチェーンの両端を係合することが多い。
直線状に配置された１６個の単位体をチェーンとみなすと、その両端は第一の末端単位体及び第二の末端単位体となる。これらに止め具を備えることにより、環状の装身具が構成される。この場合、棒状体及びそれに接合された４個の単位体は、ネックレスに付されたペンダントのように、ぶら下がって装飾する。
また、第一の末端単位体及び棒状体に止め具を設けることにより、棒状体は環状部分の一部となり、ファッションウオッチの時計部分のように、ぶら下がらずに装飾する。
ここで「環状の装身具」とは、１本の装身具の両端を係合したリングの形状として身に付ける装身具を言う。ネックレス、ブレスレット、アームベルト及びファッションウオッチは環状の装身具である。
【００１６】
本発明の装身具は、
前記単位体の面の全て又は一部の表面又は内部に磁石を備え、
前記２０個の単位体が正２０面体の形状となる配置において互いに接する２つの面に備えられた前記磁石の面側の極性が異なるものであることを特徴とする。
【００１７】
単位体同士が磁石で引き付けあうことにより、正２０面体を作成した後に、外部からの力によって正２０面体が崩れてしまうことを防止する。ペンダント、ブローチ等として正２０面体の形状を利用するときに使いやすい。
また、正２０面体を完全には作成せず一部のみを作成した状態（例えば、１０個の単位体を正２０面体を作成した時の位置に配置し、残りの１０個の単位体を他の位置に配置する状態）で使用する場合に、正２０面体を作成した時の位置に配置された単位体が、正２０面体において隣接する３個の他の単位体すべてが隣接する位置に配置されていなくても、これらのうちの１個以上が隣接する位置に配置されていれば、その配置に安定する。
【００１８】
本発明の装身具は、
２個の前記単位体の各々の前記底面に属する辺（底辺）のうちの１つ（接合底辺）同士を２つの底面が同方向となるように角度可変に接合した２単位結合体を７個用い、前記７個の２単位結合体の１つに含まれる１つの単位体の前記接合底辺と端点を共有しない辺（接合斜辺）と他の前記２単位結合体の接合斜辺とを該２つの２単位結合体の４つの底面が同じ方向となるように角度可変に接合して、前記７個の２単位結合体を直列に結合し、前記７個の２単位結合体に含まれる１４個の底面を同方向にした１４単位結合体を備え
、
前記１４単位結合体の一方の末端の単位体の接合斜辺に１つの単位体（第一の末端単位体）の斜辺を該２つの単位体の底面が同じ方向となるように角度可変に接合し、
前記１４単位結合体の他方の末端の単位体の接合斜辺に１つの単位体（第二の末端単位体）の斜辺を該２つの単位体の底面が同じ方向となるように角度可変に接合し、
４個の他の単位体と接合していない単位体を備え、
可変な角度を変動させた前記１６個の結合された単位体及び前記の４個の他の単位体と接合していない単位体の配置として、２０個の単位体全体が正２０面体の形状となるものを含むことを特徴とする。
【００１９】
全ての単位体が必ずしも結合している必要はない。図６において直線状に配置された１６個の単位体を接合し、棒状体を介して接合されている図の右側の４個の単位体を接合させないこととするものである。直線状に配置された１６個の単位体が結合された部分がブレスレット等の環状の装身具となる。環状の装身具として着用する際には、接合されていない４個の単位体を分離して保管する。正２０面体を構成する際には、接合されていない４個の単位体を嵌め込む。なお、嵌め込まれた４個の単位体が正２０面体から分離しないよう磁石等によって固定することが好ましい。棒状体を含まず直線状に配置された１６個の単位体によって環状の装身具が構成され、すっきりとした印象のものとなる。また、パズルとしては単純な形状の部品によるものであり、整然とした印象を与えることができる。
【００２０】
本発明のパズルが課題を解決するための手段は、以上に述べた本発明の装身具が課題を解決するための手段の説明に述べられたとおりである。
【発明の効果】
【００２１】
本発明のパズルは、連結された同一形状の要素多面体のみで正２０面体を作成するようなパズルであって十分に楽しめる難度を持つという効果を有する。底辺を接合するか斜辺を接合するかを設計することができ、斜辺を接合する数の多寡によってパズルの難易度を調整してユーザに合わせた難易度にできるからである。
本発明の装身具は、パズルの楽しみを兼ね備えているという効果を有する。かつ、正２０面体を作成してペンダント等の装身具として使用することと、正２０面体を構成せずに環状の装身具として使用することとを１つの装身具で実現するという効果を有する。
【図面の簡単な説明】
【００２２】
【図１】図１は、単位３角錐を表す図である。
【図２】図２は、単位体の例を表す図である。
【図３】図３は、正２０面体の展開図に基づくパズルの例を表す図である。
【図４】図４は、底辺を接合した２つの単位体を表す図である。
【図５】図５は、斜辺を接合した２つの単位体を表す図である。
【図６】図６は、直線状に結合された単位体を含むパズル及び装身具の例を示す図である。
【図７】図７は、直線状に結合された単位体を含むパズルの解を表す図である。
【図８】図８は、２単位結合体を示す図である。
【図９】図９は、ブレスレットの構成を示す図である。
【図１０】図１０は、ブレスレットの使用状態を示す図である。
【図１１】図１１は、ペンダントの使用状態を示す図である。
【図１２】図１２は、装飾の例を示す図である。
【発明を実施するための形態】
【００２３】
以下、本発明の実施例を示す。
【実施例１】
【００２４】
本実施例は、図６に示された構成のブレスレットである。
図８は、２単位結合体を示す図である。図の右側の単位体に付された２個のパイプ１１及び図の左側の単位体に付されたパイプ１２をシャフト１３が貫通しており、２個の単位体が蝶番状に角度可変に接合されている。なお、蝶番状でなく、テープ等によって接合してもよい。
２単位結合体同士を接合する部分も同様の構造である。また、第二の末端単位体８において図の右側に設けられた蝶番状の部分のシャフトを延長して棒状部９としてある。
【００２５】
図９は、ブレスレットの構成を示す図である。第二の末端単位体８において図の右側のシャフトに相当する部分に、フック１４ａが設けられている。Ｘ字状の棒状体９の第二の末端単位体８と反対側の端点同士を結ぶワイヤに、フック１４ｂが設けられている。第一の末端単位体７の底面に受け穴１５が設けられている。フック１４ａ又は１４ｂを受け穴１５に差し込んでブレスレットとして使用することができる。
フック１４ａ又は１４ｂと受け穴１５とで止め具を構成している。なお、止め具としては、フックと受け穴に限らず、互いに係合する金属又はプラスチック（ネックレスのチェーンの末端部同士を係合させるために広く使用されているリング状の止め具等）であってもよい。
図１０は、ブレスレットの使用状態を示す図である。図（ａ）はフック１４ａを受け穴１５に差し込んだ場合のものである。棒状体９と４個の単位体からなる部分は環状の部分に含まれず、ペンダントのような装飾効果を有する。図（ｂ）はフック１４ｂを受け穴１５に差し込んだ場合のものである。棒状体９と４個の単位体からなる部分は環状の部分に含まれ、ブレスレットの中でこの部分が太くなって装飾効果の主要部分となる。
【実施例２】
【００２６】
本実施例は、実施例１に示したブレスレットを、ペンダントとして活用するものである。
図１１は、ペンダントの使用状態を示す図である。図（ａ）に示すように、正２０面体が作成され、フック１４ａにチェーン１６が係合されている。
【００２７】
単位体の全ての面に磁石を備え、磁石の極性は正２０面体を作成した時に接する面同士が異なる極性を持つ（引きつけ合う）ようになっている。正２０面体を構成しなくても形状が安定する。図（ｂ）に示すように、第一の末端単位体７の側の単位体を下側にたらした形状とすることもでき、装いに変化を与えることができる。なお、図（ｂ）では、図７において符号ａ及びｂを付した２個の単位体がたらされている。正２０面体の下端は図７において符号ｂを付した単位体と符号ｃを付した単位体が接する底辺である。フック１４ｃは、この底辺に対向する位置にある底辺（図７において符号ｆを付した単位体と符号ｓを付した単位体が接する底辺）に設けられている。すなわち、図７において符号ｆを付した単位体または符号ｓを付した単位体の底辺にフック１４ｃが設けられている。たらされる単位体の数に依存してフックを設けるべき位置が異なるので、たらされる単位体の数を定め、それに対応した位置にフックを設けることが好ましい。または、フックを設ける位置はあらかじめ定めた位置のみとし、たらされる単位体の数に依存して正２０面体の下端以外の位置から単位体がたらされることとしてもよい。
【実施例３】
【００２８】
本実施例は、正２０面体の表面に装飾を施すものである。
図１２は、装飾の例を示す図である。図において、正２０面体の各面に５種類の模様が付されているが、この模様に対応して正２０面体の各面は色彩が施されている。例えば、赤、青、黄、緑、白の５色である。カラフルで注目を引くようなペンダント等が作成される。
また、正２０面体の隣り合う面が同じ色彩を持たないようにし、鮮やかなデザインとするとともに、パズルを解く際のヒントとすることもできる。
【産業上の利用可能性】
【００２９】
本発明のパズルは、連結された同一形状の要素多面体のみで正２０面体を作成するようなパズルであって十分に楽しめる難度を持つものであり、多くの人々に楽しまれて利用されることが期待される。
本発明の装身具は、パズルの楽しみを兼ね備え、ペンダント等の装身具として使用することと環状の装身具として使用することとを１つの装身具で実現しているものであり、多くの人々、特に知的な女性に利用されることが期待される。
【符号の説明】
【００３０】
１    単位３角錐（単位体）
２    底面
３    底辺
４    斜辺
５    ２単位結合体
６    １４単位結合体
７    第一の末端単位体
８    第二の末端単位体
９    棒状体
１０  単位体
１１  パイプ
１２  パイプ
１３  シャフト
１４  フック
１５  受け穴
１６  チェーン
【図１】
0005688795.tif 000003
【図２】
0005688795.tif 000004
【図３】
0005688795.tif 000005
【図４】
0005688795.tif 000006
【図５】
0005688795.tif 000007
【図６】
0005688795.tif 000008
【図７】
0005688795.tif 000009
【図８】
0005688795.tif 000010
【図９】
0005688795.tif 000011
【図１０】
0005688795.tif 000012
【図１１】
0005688795.tif 000013
【図１２】
0005688795.tif 000014